(57)【要約】【課題】情報信号を、当該情報信号の提供元のパーソナルコンピュータなどの情報処理装置に依存することなく、手軽に提供を受けてユーザーの意図に応じた態様で再生できるようにする。【解決手段】外部Ｉ／Ｆ１３３、入出力端子１３４を通じて接続されたパーソナルコンピュータにより、ＩＣレコーダ１のフラッシュメモリー１２０のソフトウェアを読み出してパーソナルコンピュータにおいて実行し、当該パーソナルコンピュータが保持するオーディオデータなどの情報信号を、パーソナルコンピュータからＩＣレコーダ１のフラッシュメモリー１２０に転送する。この場合、パーソナルコンピュータで実行されるソフトウェアによって、フラッシュメモリー１２０に転送されて格納された情報信号についての管理情報を形成し、これをＩＣレコーダのフラッシュメモリー１２０に記録し、ＩＣレコーダにおいても利用可能にする。【選択図】図２
2005267559.tif 000002
【特許請求の範囲】
【請求項１】
情報処理装置との接続端と、
前記接続端に接続された前記情報処理装置からアクセス可能であって、前記情報処理装置から情報信号を転送して管理するために、前記情報処理装置で実行されるソフトウェアが記録されたメモリーと、
前記情報処理装置で実行される前記ソフトウェアが用いられることにより、前記情報処理装置から転送されてくる情報信号を記憶するデータメモリーと、
前記情報処理装置において実行される前記ソフトウェアにより形成される管理情報であって、前記データメモリーに記録された前記情報信号の管理情報を記憶する管理メモリーと、
前記管理メモリーに記憶された前記管理情報に基づいて、前記データメモリーに記録された前記情報信号を再生するように制御する再生制御手段と
を備えることを特徴とする記録再生装置。
【請求項２】
請求項１に記載の記録再生装置であって、
前記ソフトウェアは、情報信号のファイル単位での転送と、複数のファイルを含むフォルダ単位での転送との一方または両方を行うことができるものであることを特徴とする記録再生装置。
【請求項３】
請求項１または請求項２に記載の記録再生装置であって、
前記ソフトウェアは、前記データメモリーに記録された前記情報信号の再生位置の移動処理と、前記データメモリーに記録された前記情報信号の削除処理と、前記移動処理や前記削除処理に応じた前記管理メモリーの前記管理情報の変更処理とを行うことができるものであることを特徴とする記録再生装置。
【請求項４】
記録再生装置が情報処理装置から１つ以上の情報信号の提要を受けて、これをユーザーの意図する順番で利用できるようにする情報転送管理方法であって、
前記情報処理装置からアクセス可能な前記記録再生装置のメモリーに、前記情報処理装置において実行され、前記情報処理装置から情報信号を転送して管理するためのソフトウェアを記録しておき、
前記情報処理装置から前記記録再生装置の前記メモリーにアクセスして前記ソフトウェアを実行して、前記情報処理装置からアクセス可能な前記記録再生装置のデータメモリーに情報信号を転送し、
実行された前記ソフトウェアにより、前記データメモリーに転送された前記情報信号についての管理情報を前記情報処理装置からアクセス可能な前記記録再生装置の管理メモリーに形成し、
前記記録再生装置において、前記管理メモリーに記憶された前記管理情報に基づいて、前記データメモリーに記録された前記情報信号の再生を行うことができるようにする情報転送管理方法。
【請求項５】
請求項４に記載の情報転送管理方法であって、
前記ソフトウェアは、情報信号のファイル単位での転送と、複数のファイルを含むフォルダ単位での転送との一方または両方を行うことができるものであることを特徴とする情報転送管理方法。
【請求項６】
請求項４または請求項５に記載の情報転送管理方法であって、
前記ソフトウェアは、前記データメモリーに記録された前記情報信号の再生位置の移動処理と、前記データメモリーに記録された前記情報信号の削除処理と、前記移動処理や前記削除処理に応じた前記管理メモリーの前記管理情報の変更処理とを行うことができるものであることを特徴とする情報転送管理方法。
【請求項７】
記録再生装置に装填されて用いられる書き換え可能な記録媒体であって、
前記記録再生装置に装填された状態で、あるいは、所定のアダプタ装置に装填された状態で、前記記録再生装置あるいは前記アダプタ装置と接続される情報処理装置からアクセス可能であって、前記情報処理装置から情報信号を転送して管理するために、前記情報処理装置で実行されるソフトウェアが記録された記憶エリアと、
前記情報処理装置で実行される前記ソフトウェアが用いられることにより、前記情報処理装置から転送されてくる情報信号を記憶するデータエリアと、
前記情報処理装置において実行される前記ソフトウェアにより形成される管理情報であって、前記データエリアに記録された前記情報信号を再生するための管理情報を記憶する管理エリアと
を備えることを特徴とする記録媒体。
【請求項８】
請求項７に記載の記録媒体であって、
前記ソフトウェアは、情報信号のファイル単位での転送と、複数のファイルを含むフォルダ単位での転送との一方または両方を行うことができるものであることを特徴とする記録媒体。
【請求項９】
請求項７または請求項８に記載の記録媒体であって、
前記ソフトウェアは、前記データメモリーに記録された前記情報信号の再生位置の移動処理と、前記データメモリーに記録された前記情報信号の削除処理と、前記移動処理や前記削除処理に応じた前記管理メモリーの前記管理情報の変更処理とを行うことができるものであることを特徴とする記録媒体。
【発明の詳細な説明】
【技術分野】
【０００１】
この発明は、例えば、半導体メモリーを記録媒体として用いたＩＣ（Integrated Circuit）レコーダなどの記録再生装置、この記録再生装置に情報信号を転送して管理する場合に用いる情報転送管理方法、および、記録再生装置の記録媒体に関する。
【背景技術】
【０００２】
半導体メモリーを記録媒体として用いたいわゆるＩＣレコーダなどと呼ばれる記録再生装置が広く利用されるようになってきている。このＩＣレコーダに搭載される半導体メモリーに、オーディオデータ（音楽データ）を記録して、ＩＣレコーダをオーディオプレーヤーとして用いるようにすることも行われている。
【０００３】
一般に、ＩＣレコーダに搭載された半導体メモリーへは、パーソナルコンピュータを介して、当該パーソナルコンピュータに蓄積されているオーディオデータが供給されて記録される。この場合、パーソナルコンピュータに蓄積されているオーディオデータのＩＣレコーダへの転送や管理を行うためのソフトウェアは、当該パーソナルコンピュータに予めインストールしておく必要がある。
【０００４】
そして、パーソナルコンピュータにおいて当該ソフトウェアを起動させ、当該パーソナルコンピュータに蓄積されているオーディオデータから転送を希望するオーディオデータを指定して、転送指示を入力することにより、目的とするオーディオデータをＩＣレコーダに搭載された半導体メモリーに転送して記録し、これをＩＣレコーダにおいて再生して利用することができるようにされる。
【０００５】
このようなパーソナルコンピュータからオーディオプレーヤーへのオーディオデータの転送を行う場合において、パーソナルコンピュータの操作に不慣れなユーザーのために、後に記す特許文献１には、オーディオデータの転送先となる端末装置からパーソナルコンピュータに転送要求を送信することにより、パーソナルコンピュータから目的とするオーディオデータの提供を受けることができるようにする技術が開示されている。この技術を用いることにより、パーソナルコンピュータを直接に操作しなくても、オーディオデータの提供を受けることができるようにされる。
【特許文献１】特開２００２−３２８８６０号公報
【発明の開示】
【発明が解決しようとする課題】
【０００６】
ところで、上述した特許文献１に記載の技術の場合、オーディオデータの送信元となるパーソナルコンピュータにも、また、オーディオデータの送信先となる端末装置にも、オーディオデータを送受するためのソフトウェアが必要になり、そのソフトウェアの実行により所定の通信手順を経て、オーディオデータの転送が行われることによる。このため、どんなパーソナルコンピュータからでも手軽にオーディオデータの転送が受けられるわけではない。
【０００７】
また、上述もしたように、パーソナルコンピュータに蓄積されたオーディオデータをＩＣレコーダに転送して管理するためのソフトウェアを、パーソナルコンピュータにインストールしておかなければならないのでは、当該ソフトウェアがインストールされていないパーソナルコンピュータからのオーディオデータの転送を受けることができない。
【０００８】
このため、パーソナルコンピュータの機能を用いて、ＩＣレコーダに搭載された半導体メモリーに形成されている予め決められたフォルダ（ディレクトリ）に、パーソナルコンピュータに蓄積されているオーディオデータをいわゆるドラッグ・アンド・ドロップ（Drag and Drop）操作を行うことによって転送する機能に対応したＩＣレコーダも提供されている。
【０００９】
しかし、この方式の場合、ＩＣレコーダの予め決められたフォルダに転送されたオーディオデータは、ドラッグ・アンド・ドロップした順番や名前（タイトル）順などの予め決められた順番でしか再生することができず、ユーザーの好みに応じた順番でオーディオデータを再生することができないという問題がある。
【００１０】
近年においては、インターネットなどのネットワークを通じて、いつでも、どこからでも、目的とするオーディオデータ（音楽コンテンツ）を購入することにより提供を受けたり、また、期間限定で無料提供されるオーディオコンテンツや無料で提供されるサンプルオーディオデータなどの提供を受けたりするなど、豊富に提供される個人で利用可能なオーディオデータを、ＩＣレコーダに搭載されたメモリーに転送して、いつでも、どこででも、手軽に利用できるようにしたいとする要求がある。
【００１１】
以上のことにかんがみ、この発明は、個人利用が可能なオーディオデータなどの種々の情報信号を、当該情報信号の提供元のパーソナルコンピュータなどの情報処理装置に依存することなく、手軽に提供を受けてユーザーの意図に応じた態様で再生できるようにする記録再生装置、情報転送管理方法、および、記録媒体を提供することを目的とする。
【課題を解決するための手段】
【００１２】
上記課題を解決するため、請求項１に記載の発明の記録再生装置は、
情報処理装置との接続端と、
前記接続端に接続された前記情報処理装置からアクセス可能であって、前記情報処理装置から情報信号を転送して管理するために、前記情報処理装置で実行されるソフトウェアが記録されたメモリーと、
前記情報処理装置で実行される前記ソフトウェアが用いられることにより、前記情報処理装置から転送されてくる情報信号を記憶するデータメモリーと、
前記情報処理装置において実行される前記ソフトウェアにより形成される管理情報であって、前記データメモリーに記録された前記情報信号の管理情報を記憶する管理メモリーと、
前記管理メモリーに記憶された前記管理情報に基づいて、前記データメモリーに記録された前記情報信号を再生するように制御する再生制御手段と
を備えることを特徴とする。
【００１３】
この請求項１に記載の発明の記録再生装置によれば、接続端に接続された情報処理装置により、当該記録再生装置のメモリーのソフトウェアが読み出されて実行され、情報処理装置が保持する情報信号が、情報処理装置から当該記録再生装置に転送され、当該記録再生装置のデータメモリーに記憶される。この場合、情報処理装置で実行されるソフトウェアによって、データメモリーの情報信号についての管理情報が形成され、これが当該記録再生装置の管理メモリーに記録され、当該記録再生装置においても利用できるようにされる。
【００１４】
これにより、情報処理装置に情報信号の転送、管理のためのソフトウェアをインストールしておかなくても、記録再生装置のメモリーに記録されているソフトウェアを用いて、簡単に情報信号の転送を行うようにすることができるとともに、管理メモリーの管理情報に基づいて、ユーザーの意図する順番で、情報信号の再生を行うことができるようにされる。
【００１５】
また、請求項２に記載の発明の記録再生装置は、請求項１に記載の記録再生装置であって、
前記ソフトウェアは、情報信号のファイル単位での転送と、複数のファイルを含むフォルダ単位での転送との一方または両方を行うことができるものであることを特徴とする。
【００１６】
この請求項２に記載の発明によれば、情報処理装置において実行されるソフトウェアを用いることによって、ファイル単位（オーディオデータで言えば１曲単位）に、あるいは、フォルダ単位（オーディオデータで言えばアルバム単位）に、情報信号の転送を行うことができるようにされる。
【００１７】
これにより、ユーザーの意図する情報信号を、ユーザーの意図する態様で、記録再生装置に転送して蓄積し、利用することができるようにされる。
【００１８】
また、請求項３に記載の発明は、請求項１または請求項２に記載の記録再生装置であって、
前記ソフトウェアは、前記データメモリーに記録された前記情報信号の再生位置の移動処理と、前記データメモリーに記録された前記情報信号の削除処理と、前記移動処理や前記削除処理に応じた前記管理メモリーの前記管理情報の変更処理とを行うことができるものであることを特徴とする。
【００１９】
この請求項３に記載の発明の記録再生装置によれば、情報処理装置で実行されるソフトウェアを用いることによって、記録再生装置のデータメモリーに記録した情報信号の移動や削除を行い、これに応じて管理情報を更新することができるようにされる。
【００２０】
これにより、情報信号の記録再生装置への転送後において、再生順序を変更したり、不要な情報信号を削除したりすることができるようにされ、好みの情報信号を好みの順番で再生シテ利用することができるようにされる。
【発明の効果】
【００２１】
この発明によれば、情報処理装置から記録再生装置に情報信号を転送して管理するためのソフトウェアを、情報処理装置に予めインストールしておく必要が無く、記録再生装置の接続が可能な情報処理装置において、記録再生装置のメモリーに用意されているソフトウェアを実行して、情報信号の記録再生装置への転送と、転送した情報信号の管理とを行うようにすることができる。
【００２２】
また、情報処理装置から記録再生装置への情報信号の転送は、ファイル単位またはフォルダ単位で行うことができるようにされ、ユーザーの意図する態様で情報信号を転送して管理することができる。
【００２３】
また、記録再生装置に転送した情報信号の移動や削除を行うことができ、再生順序を変更したり、不要な情報信号を整理したりすることが可能となり、記録再生装置のデータメモリーを効率よく利用することができる。
【発明を実施するための最良の形態】
【００２４】
以下、図を参照しながら、この発明による装置、方法、記録媒体の一実施の形態について説明する。以下に説明する実施の形態においては、ＩＣレコーダにこの発明による装置を適用し、ＩＣレコーダとパーソナルコンピュータとにより形成されるシステムにおいてこの発明による方法を適用し、例えば、ＩＣレコーダに着脱可能とされるいわゆるメモリーカードにこの発明による記録媒体を適用した場合を例にして説明する。
【００２５】
［システムの概要］
図１は、この実施の形態のシステムの概要を説明するための図である。図１に示すように、この実施の形態のシステムは、ＩＣレコーダ１とパーソナルコンピュータ２とが、例えば、ＵＳＢ（Universal Serial Bus）やＩＥＥＥ（Institute of Electrical and Electronics Engineers）１３９４などのデジタルインターフェースで接続されて構成されるものである。
【００２６】
そして、パーソナルコンピュータ２のハードディスクに蓄積されている種々のオーディオデータ（音楽データ）の中から、目的とするオーディオデータを、ドラッグ・アンド・ドロップ操作という簡単な操作でＩＣレコーダ１に転送し、ＩＣレコーダ１のメモリーに記録（格納）することができるものである。
【００２７】
この場合、単に、パーソナルコンピュータ２からＩＣレコーダ１にオーディオデータを転送するだけではない。オーディオデータが記録されるＩＣレコーダのメモリーは、比較的に記憶容量の大きなものであり、多数の楽曲のオーディオデータを記録することができるものである。このため、ＩＣレコーダ１のユーザーが意図する順番で再生できるように、ＩＣレコーダ１のメモリーに転送されたオーディオデータの管理処理をも行うことができるようにしている。
【００２８】
なお、パーソナルコンピュータ２において行われるドラッグ・アンド・ドロップ操作は、アイコンや選択項目等の表示対象物を選択し、これを選択した状態のまま移動するようにし、目的とする位置まで移動した後に、当該表示対象物の選択示を解除して（表示対象物を離して）、その表示対象物を目的とする位置に移動するようにする操作である。
【００２９】
［ＩＣレコーダ１の基本的な構成について］
次に、この実施の形態のＩＣレコーダ１の基本的な構成について説明する。図２は、この実施の形態のＩＣレコーダ１を説明するためのブロック図である。
【００３０】
図２に示すように、この実施の形態のＩＣレコーダ１は、マイクロホン１０１、アナログ／デジタル変換部（以下、Ａ／Ｄ変換部と略称する。）１０２、圧縮処理部１０３、伸長処理部１０４、音声信号処理部１０５、音声信号出力端子１０６、制御部１１０、フラッシュメモリー１２０、キーインターフェース（以下、キーＩ／Ｆと略称する。）１３１、操作部１３２、外部Ｉ／Ｆ１３３、入出力端子１３４を備えたものである。
【００３１】
制御部１１０は、この実施の形態のＩＣレコーダ１の各部を制御するものであり、図２に示すように、ＣＰＵ（Central Processing Unit）１１１、ＲＯＭ（Read Only Memory）１１２、ＲＡＭ（Random Access Memory）１１３、ＥＥＰＲＯＭ（Electrically Erasable and Programmable ROM）１１４が、ＣＰＵバス１１５を通じて接続されて構成されたマイクロコンピュータである。
【００３２】
ここで、ＲＯＭ１１２は、ＣＰＵ１１１で実行される各種のプログラムや処理に必要なデータが記録されたものであり、ＲＡＭ１１３は、種々の処理において主に作業領域として用いるようにされるものである。また、ＥＥＰＲＯＭ１１４は、いわゆる不揮発性メモリーであり、このＩＣレコーダ１の電源を落としても保持しておくべきデータ、例えば、種々の設定パラメータなどを記憶保持するものである。
【００３３】
また、フラッシュメモリー１２０は、主にオーディオデータを保持する場合に用いられる比較的に記憶容量の大きなものである。そして、詳しくは後述もするが、このフラッシュメモリー１２０には、入出力端子１３４を通じて接続されるパーソナルコンピュータ２の外部メモリーとして用いることができるようにされており、パーソナルコンピュータ２において実行されるソフトウェアが予め記録されているものである。
【００３４】
すなわち、フラッシュメモリー１２０は、パーソナルコンピュータ２からアクセス可能なメモリーであって、後述もするように、パーソナルコンピュータ２から転送されてくるオーディオデータやマイクロホン１０１で収音したオーディオデータ、およびオーディオデータの管理情報を記憶する管理ファイルが記憶されるものである。
【００３５】
そして、操作部１３２の録音キーが操作されると、制御部１１０により、Ａ／Ｄ変換部、圧縮処理部１０３などの入力系が制御され、マイクロホン１０１で収音された音声が電気信号に変換されてアナログオーディオ信号（アナログ音声信号）としてＡ／Ｄ変換部１０２に供給される。
【００３６】
Ａ／Ｄ変換部１０２は、これに供給されたアナログオーディオ信号をデジタル信号に変換し、これを圧縮処理部１０３に供給する。圧縮処理部１０３は、これに供給されたデジタルオーディオデータ（デジタル音声信号）を所定の形式でデータ圧縮して出力する。圧縮処理部１０３からの圧縮処理後のデジタルオーディオデータは、制御部１１０を通じてフラッシュメモリー１２０に記録される。
【００３７】
また、この実施の形態において、外部Ｉ／Ｆ１３３、入出力端子１３４は、例えば、ＵＳＢやＩＥＥＥ１３９４などのデジタルインターフェースに対応するものである。そして、詳しくは後述もするように、入出力端子１３４に接続されるパーソナルコンピュータ２から転送されるオーディオデータを、フラッシュメモリー１２０に記録することができるようにしている。
【００３８】
また、上述もしたように、ＩＣレコーダ１のフラッシュメモリー１２０は、入出力端子１３４を通じて接続されるパーソナルコンピュータ２の外部メモリーとして扱うことができるようにされている。
【００３９】
そこで、この実施の形態のシステムのパーソナルコンピュータ２が、ＩＣレコーダ１のフラッシュメモリー１２０に格納されているオーディオデータの転送と管理とを行うためのソフトウェアを実行すると、ドラッグ・アンド・ドロップ操作という簡単な操作でパーソナルコンピュータ２のハードディスクに蓄積されているオーディオデータをＩＣレコーダ１のフラッシュメモリー１２０に転送してコピーすることができるとともに、その再生順番などを管理するための管理情報を形成し、これをフラッシュメモリー１２０に形成する管理ファイルで管理することができるようにしている。
【００４０】
そして、操作部１３２の再生キーが操作されると、制御部１１０により、伸長処理部１０４、音声信号処理１０５などの出力系が制御され、フラッシュメモリー１２０に記憶されているオーディオデータが読み出され、伸長処理部１０４に供給される。伸長処理部１０４は、これに供給されたオーディオデータを伸長処理して、圧縮前のオーディオデータを復元し、これを音声信号処理部１０５に供給する。
【００４１】
音声信号処理部１０５は、伸長処理部１０４からの伸長処理されたオーディオデータをアナログ信号に変換したり、制御部１１０からの制御に応じて、音質調整や音量調整を施したりして、処理後の音声信号を出力端子１０６を通じて出力するようにする。出力端子１０６には、ヘッドホンやイアホンが接続され、これらを通じて再生音声を聴取することができるようにされる。
【００４２】
なお、図２においては示さなかったが、この実施の形態のＩＣレコーダ１は、動作状態やエラーメッセージなどの各種の表示情報をユーザーに提供するためのＬＣＤ（Liquid Crystal Display）をも備えたものである。
【００４３】
このように、この実施の形態のＩＣレコーダ１は、マイクロホン１０１を通じて収音した音声に応じたオーディオデータや入出力端子１３４に接続されたパーソナルコンピュータ２からのオーディオデータをフラッシュメモリー１２０に記録、保持し、これをユーザーからの指示に応じて再生して出力することができるものである。
【００４４】
［パーソナルコンピュータ２の基本的な構成について］
次に、この実施の形態のパーソナルコンピュータ２の基本的な構成について説明する。図３は、この実施の形態のシステムで用いられるパーソナルコンピュータ２を説明するためのブロック図である。この実施の形態のシステムで用いられるパーソナルコンピュータ２は、一般的に用いられているいわゆるノート型パーソナルコンピュータであり、図３に示すように、制御部２００、システムディスク２１１、コンテンツディスク２１２、ＬＣＤコントローラ２２１、ＬＣＤ２２２、Ｉ／Ｆ２３１、キー操作部２３２、マウス（ポインティングデバイス）２３３、外部Ｉ／Ｆ２４１、入出力端子２４２、通信Ｉ／Ｆ２５１、接続端子２５２を備えたものである。
【００４５】
制御部２００は、この実施の形態のパーソナルコンピュータ２の各部を制御するものであり、ＣＰＵ２０１、ＲＯＭ２０２、ＲＡＭ２０３、ＥＥＰＲＯＭ２０４がＣＰＵバス２０５を通じて接続されたマイクロコンピュータである。ＲＯＭ２０２はＣＰＵ２０１において実行されるプログラムや処理に必要になる情報が記録されたものである。ＲＡＭ２０３は、主に作業領域として用いられるものである。ＥＥＰＲＯＭ２０４は、いわゆる不揮発性メモリーであり、パーソナルコンピュータ２の電源が落とされても保持しておくべきデータが格納される。
【００４６】
また、システムディスク２１１、コンテンツディスク２１２は、何れも大容量のハードディスクである。そして、システムディスク２１１は、例えば、種々のアプリケーションプログラムやフォントデータ、書式集などを記憶保持するものである。また、コンテンツディスク２１２は、オーディオデータやビデオデータなどの種々のコンテンツデータを蓄積するものである。
【００４７】
ＬＣＤ２２２は、比較的に大きな表示画面を備えたものであり、制御部２００により制御されるＬＣＤコントローラ２２１の制御により、種々の表示情報を表示することができるものである。
【００４８】
キー操作部２３２は、アルファベットキー、テンキー、各種のファンクションキーを備えたいわゆるキーボードであり、いわゆるマウス２３３は、ポインティングデバイスとして用いられるものである。これらキー操作部２３２、マウス２３３を通じて受け付けたユーザーからの操作入力は、Ｉ／Ｆ２３１を通じて制御部２００に通知される。これにより、制御部２３０は、ユーザーからの操作入力に応じて、各部を制御することができるようにされる。
【００４９】
また、この実施の形態において、外部Ｉ／Ｆ２４１、入出力端子２４２は、上述したＩＣレコーダ１の外部Ｉ／Ｆ１３３、入出力端子１３４と同様に、例えば、ＵＳＢやＩＥＥＥ１３９４などのデジタルインターフェースに対応するものであり、これを通じて、上述したＩＣレコーダ１などと接続することができるものである。
【００５０】
通信Ｉ／Ｆ２５１、接続端子２５２は、例えば、電話網やケーブルテレビ網などを通じてインターネットなどの広域ネットワークに接続し、電子メールの送受やＷｅｂページの閲覧などを可能にするものである。
【００５１】
そして、この実施の形態のパーソナルコンピュータ２は、例えば、通信Ｉ／Ｆ２５１、接続端２５２を通じて、インターネットに接続し、インターネット上のコンテンツサーバからダウンロードしてきたオーディオデータやビデオデータなどの種々のコンテンツデータをコンテンツディスク２１２に蓄積することができるものである。
【００５２】
そして、この実施の形態のパーソナルコンピュータ２は、コンテンツディスク２１２に蓄積された種々のコンテンツを再生することができるとともに、コンテンツディスク２１２に蓄積されたオーディオデータを外部Ｉ／Ｆ２４１、入出力端子２４２を通じて接続されるＩＣレコーダ１のメモリーに転送してコピーするなどのこともできるようにしている。
【００５３】
この場合、上述もしたように、パーソナルコンピュータ２は、外部Ｉ／Ｆ２４１、入出力端子２４２を通じて接続されるＩＣレコーダ１のフラッシュメモリー１２０にアクセスすることができるようにされる。すなわち、パーソナルコンピュータ２は、これに接続されたＩＣレコーダ１を自己の外部ドライブ装置として扱うことができるようにされる。
【００５４】
そして、この実施の形態のＩＣレコーダ１のフラッシュメモリー１２０には、パーソナルコンピュータ２からＩＣレコーダ１にオーディオデータを転送して管理するためのソフトウェアが予め用意されており、パーソナルコンピュータ２は、ＩＣレコーダ１のフラッシュメモリー１２０に用意されているソフトウェアを実行して、オーディオデータのＩＣレコーダ１への転送と管理を行うようにしている。
【００５５】
すなわち、この実施の形態のパーソナルコンピュータ２には、オーディオデータをＩＣレコーダ１に転送して管理するためのソフトウェアをインストールする必要が全くない。したがって、以下に詳述するように、この実施の形態のＩＣレコーダ１の接続が可能なパーソナルコンピュータであれば、どのようなパーソナルコンピュータであっても、そのパーソナルコンピュータに蓄積されているオーディオデータをこの実施の形態のＩＣレコーダ１に転送してコピーし、管理することができるようにされる。
【００５６】
［オーディオデータの転送と管理を行う場合の動作について］
次に、上述したＩＣレコーダ１とパーソナルコンピュータ２とにより構成されるこの実施の形態のシステムにおいて、パーソナルコンピュータ２に蓄積されているオーディオデータをＩＣレコーダ１に転送してコピーし、管理する場合について具体的に説明する。なお、以下の説明において、扱うオーディオデータは、ＭＰ３（MPEG-1 audio layer 3）方式でデータ圧縮されたものとして説明する。
【００５７】
図４は、この実施の形態のシステムにおいて、パーソナルコンピュータ２からＩＣレコーダ１にオーディオデータを転送して管理する場合の動作を説明するための図である。  図４に示すように、ＩＣレコーダ１とパーソナルコンピュータ２とは、ＵＳＢあるいはＩＥＥＥ１３９４などの所定のデジタルインターフェースを通じて接続される。ＩＣレコーダ１とパーソナルコンピュータ２とを接続すると、上述もしたように、ＩＣレコーダ１は、パーソナルコンピュータ２の外部ドライブ装置として利用することができるようにされる。
【００５８】
この実施の形態の場合には、図４（Ａ）に示すように、ＩＣレコーダ１は、パーソナルコンピュータ２に対して、外部ドライブ装置Ｅ（ＤｒｉｖｅＥ：）となるようにされている。具体的には、外部ドライブ装置Ｅは、ＩＣレコーダ１のフラッシュメモリー１２０である。ＩＣレコーダ１のフラッシュメモリー１２０（外部ドライブ装置Ｅ）には、オーディオデータの転送を受けて格納し、これを管理できるようにするためのオーディオフォルダ（Audio Folder）ＡＦが予め設けられている。
【００５９】
このオーディオフォルダＡＦの中には、図４（Ｂ）に示すように、デジタルインターフェースを通じて接続されるパーソナルコンピュータからＩＣレコーダ１にオーディオデータを転送して管理できるようにするために、パーソナルコンピュータにおいて実行されるソフトウェア（転送プログラム）である「ＭＰ３  ｍａｎａｇｅｒ．ｅｘｅ」が生産時にインストールされている。
【００６０】
そして、図４において、点線矢印ＡＳ１、ＡＳ２で示すように、パーソナルコンピュータ２から外部ドライブ装置ＥのオーディオフォルダＡＦにアクセスして、「ＭＰ３  ｍａｎａｇｅｒ．ｅｘｅ」を選択することにより、オーディオデータの転送、管理プログラムであるＭＰ３ファイルマネージャー（MP3 file manager）を、パーソナルコンピュータ２で実行することができるようにされる。
【００６１】
パーソナルコンピュータ２において、オーディオデータの転送、管理プログラムであるＭＰ３ファイルマネージャーが実行されると、図４（Ｂ）に示したオーディオフォルダＡＦ中の管理フォルダＫＦに格納するようにされている再生順番管理リストに基づいて、図４（Ｃ）に示すように、ＩＣレコーダ１のオーディオフォルダＡＦに格納済みのオーディオデータの一覧リスト（格納済みオーディオデータ一覧リスト）がパーソナルコンピュータ２のＬＣＤ２２２に表示される。
【００６２】
図４（Ｃ）に示した格納済みオーディオデータ一覧リストにおいて、先頭に＋（プラス）記号が有る行は、アルバム、すなわち、複数の楽曲のオーディオデータからなるフォルダであり、＋（プラス）記号がない行は、楽曲単位のオーディオデータファイルであることを示している。
【００６３】
そして、図４（Ｃ）のオーディオデータファイルの場合、ユーザーが任意に様々なオーディオデータファイルを格納することができるフォルダである「Ｆｒｅｅ  Ｆｏｌｄｅｒ」があり、これに続いて、「ＡｌｂｕｍＡ（アルバムＡ）」、「ＡｌｂｕｍＢ（アルバムＢ）」、「ＡｌｂｕｍＣ（アルバムＣ）」、「ＡｌｂｕｍＤ（アルバムＤ）」、「ＡｌｂｕｍＥ（アルバムＥ）」、…というよう順番で、複数のオーディオデータファイルが格納されたアルバム（フォルダ）が管理され、各フォルダ中においては、「ＡｌｂｕｍＥ」において、「ＳｏｎｇＥ１」、「ＳｏｎｇＥ２」、「ＳｏｎｇＥ３」、…というように楽曲毎のオーディオデータファイルが管理するようにされている。
【００６４】
そして、例えば、パーソナルコンピュータ２のコンテンツディスク２０２に格納されている図４（Ｄ）に示す「ＡｌｂｕｍＦ」フォルダの全体を、あるいは、「ＡｌｂｕｍＦ」フォルダ中の「ＳｏｎｇＦ１」、「ＳｏｎｇＦ２」、…で示されるオーディオデータファイル単体を、図４において点線矢印ＤＤ１に示すように、図４（Ｃ）に示した格納済みオーディオデータ一覧リストに対して、いわゆるドラッグ・アンド・ドロップ操作を行うようにすることにより、ＩＣレコーダ１のフラッシュメモリー１２０に転送して格納することができるようにしている。
【００６５】
この場合、「ＡｌｂｕｍＦ」フォルダやオーディオデータファイルの格納済みオーディオデータ一覧リストにおける格納位置（表示位置）は、格納済みオーディオデータ一覧リスト上において指定することができるようにされる。この格納位置は、再生順番に対応するものである。もちろん、目的とするアルバムの目的とする楽曲だけを再生したり、目的とするアルバムの目的とする楽曲から順に再生したりすることもできるようにされるが、複数の楽曲を順次に再生する場合には、図４（Ｃ）に示した一覧リストの表示順に対応して再生することができるようにしている。
【００６６】
また、詳しくは後述もするが、図４（Ｃ）に示した格納済みオーディオデータ一覧リスト上において、格納済みのアルバムフォルダの移動や削除、格納済みのオーディオデータファイルの移動や削除を行うこともできるようにしている。したがって、ＩＣレコーダ１のユーザーは、パーソナルコンピュータ２を通じて格納済みオーディオデータ一覧表における目的とするオーディオデータの表示位置を変更することにより、オーディオデータの再生順序を変更することもできるようにしている。
【００６７】
また、図４において、点線矢印ＤＤ２で示すように、パーソナルコンピュータ２のコンテンツディスク２０２に格納されている「ＡｌｂｕｍＦ」フォルダの全体を、あるいは、「ＡｌｂｕｍＦ」フォルダ中の「ＳｏｎｇＦ１」、「ＳｏｎｇＦ２」、…で示されるオーディオデータファイル単体を、図４（Ｂ）に示した「ＭＰ３  ｆｉｌｅ  ｍａｎａｇｅｒ」アイコンに対していわゆるドラッグ・アンド・ドロップ操作を行うようにすることにより、それら「ＡｌｂｕｍＦ」フォルダの全体を、あるいは、オーディオデータファイル単体をＩＣレコーダ１のフラッシュメモリー１２０に転送して格納することもできるようにしている。
【００６８】
この場合のフォルダやファイルの格納位置は、上述した図４（Ｃ）に示した格納済みオーディオデータ一覧リストに対するフォルダやファイルの転送の場合と異なり、格納済みオーディオデータ一覧リストにおける予め決められた位置となる。例えば、フォルダの転送の場合には、「Ｆｒｅｅ  Ｆｏｌｄｅｒ」の次に、また、ファイルの場合には「Ｆｒｅｅ  Ｆｏｌｄｅｒ」中の先頭に位置付けられるようにされる。
【００６９】
なお、格納済みオーディオデータ一覧リストを形成するための再生順番管理リストは、格納済みオーディオデータ一覧表が変更される毎に、これに応じて更新され、常に最新の格納済みオーディオデータ一覧リストを表示したり、また、ユーザーが意図する順番でオーディオデータを再生したりすることができるようにしている。
【００７０】
［オーディオデータの転送処理および管理処理について］
以下、パーソナルコンピュータ２からＩＣレコーダ１へのオーディオデータの転送処理と転送されたオーディオデータの管理処理について具体例を示しながら説明する。
【００７１】
［ファイル単位の転送について］
図５は、オーディオデータのファイル単位の転送について説明するための図である。図５（Ａ）は、パーソナルコンピュータ２のコンテンツディスク２０２に格納されている「ＡｌｂｕｍＦ」フォルダの状態を示している。図５（Ｂ）は、格納済みオーディオデータ一覧リストであり、ＩＣレコーダ１のフラッシュメモリー１２０には、「Ｆｒｅｅ１」、「Ｆｒｅｅ２」、「Ｆｒｅｅ３」、「Ｆｒｅｅ４」、「Ｆｒｅｅ５」が示すように、５曲のオーディオデータファイルが格納するようにされている「Ｆｒｅｅ  Ｆｏｌｄｅｒ」と、２つのアルバム、「ＡｌｂｕｍＸＸ」と「ＡｌｂｕｍＹＹ」とが格納済みであることを示している。
【００７２】
そして、図５（Ｂ）に示した格納済みオーディオデータ一覧リスト上において、カーソルを目的とするフォルダ、この例の場合には「Ｆｒｅｅ  Ｆｏｌｄｅｒ」に位置付けて、例えば、ダブルクリックするなどの所定の操作を行うことにより、そのフォルダを開き、図５（Ｂ）において、「Ｆｒｅｅ１」、「Ｆｒｅｅ２」、…が示すように、当該フォルダに含まれるオーディオデータファイルの一覧表示を行うことができるようにされる。
【００７３】
そして、図５において矢印が示すように、パーソナルコンピュータ２のコンテンツディスク２０２に蓄積されている「ＡｌｂｕｍＦ」フォルダのオーディオデータファイル「ＳｏｎｇＦ４」をドラッグ・アンド・ドロップ操作（図５においてはドラッグ＆ドロップと記載。）によりＩＣレコーダ１のフラッシュメモリー１２０に転送する操作を行う。
【００７４】
すなわち、「ＡｌｂｕｍＦ」フォルダのオーディオデータファイル「ＳｏｎｇＦ４」アイコンにカーソルを位置付けて選択し、そのまま格納済みオーディオデータ一覧リスト上までオーディオデータファイル「ＳｏｎｇＦ４」アイコンを移動するようにし、「ＳｏｎｇＦ４」のアイコン位置に応じて表示される目的位置指示ラインＬＮが、目的とする位置に到達したときに、「ＳｏｎｇＦ４」アイコンの選択を解放する操作を行う。
【００７５】
これにより、図５（Ｃ）に示すように、パーソナルコンピュータ２の「ＡｌｂｕｍＦ」フォルダに格納されているオーディオデータファイルである「ＳｏｎｇＦ４」を、ＩＣレコーダ１のフラッシュメモリー１２０に形成されている「Ｆｒｅｅ  Ｆｏｌｄｅｒ」のオーディオデータファイル「Ｆｒｅｅ４」と「Ｆｒｅｅ５」との間にコピーすることができるようにされる。
【００７６】
［フォルダ単位の転送について］
図６は、オーディオデータのフォルダ単位の転送について説明するための図である。図６（Ａ）は、パーソナルコンピュータ２のコンテンツディスク２０２に格納されているＡｌｂｕｍＧフォルダの状態を示している。図６（Ｂ）は、格納済みオーディオデータ一覧リストであり、ＩＣレコーダ１のフラッシュメモリー１２０には、「Ｆｒｅｅ  Ｆｏｌｄｅｒ」と、６つのアルバム、「ＡｌｂｕｍＡ」、「ＡｌｂｕｍＢ」、「ＡｌｂｕｍＣ」、「ＡｌｂｕｍＤ」、「ＡｌｂｕｍＥ」、「ＡｌｂｕｍＦ」とが格納済みであることを示している。
【００７７】
そして、図６において矢印が示すように、パーソナルコンピュータ２のコンテンツディスク２０２に蓄積されている「ＡｌｂｕｍＧ」フォルダの全体をドラッグ・アンド・ドロップ操作（図６においてはドラッグ＆ドロップと記載。）によりＩＣレコーダ１のフラッシュメモリー１２０に転送する操作を行う。
【００７８】
すなわち、「ＡｌｂｕｍＧ」フォルダに対してカーソルを位置付けて選択し、そのまま格納済みオーディオデータ一覧リスト上まで「ＡｌｂｕｍＧ」フォルダアイコンを移動するようにし、「ＡｌｂｕｍＧ」フォルダのアイコン位置に応じて表示される目的位置指示ラインＬＮが、目的とする位置に到達したときに、「ＡｌｂｕｍＧ」アイコンの選択を解放する操作を行う。
【００７９】
これにより、図６（Ｃ）に示すように、パーソナルコンピュータ２の「ＡｌｂｕｍＧ」フォルダの全体を、ＩＣレコーダ１のフラッシュメモリー１２０に格納されている「ＡｌｂｕｍＥ」と「ＡｌｂｕｍＦ」との間にコピーすることができるようにされる。
【００８０】
［階層構造を有するフォルダの転送］
図７は、階層構造を有するフォルダの転送について説明するための図である。図７（Ａ）、（Ｂ）、（Ｃ）は、パーソナルコンピュータ２のコンテンツディスク２０２に蓄積されている「ＡｒｔｉｓｔＸ（アーティストＸ）」フォルダと、これと階層的な関係を有する「１ＳＴ  Ａｌｂｕｍ」フォルダと、「２ＮＤ  Ａｌｂｕｍ」フォルダとの状態を示している。
【００８１】
また、図７（Ｄ）は、「ＡｒｔｉｓｔＸ」フォルダが転送される前の格納済みオーディオデータ一覧リスト（ＩＣレコーダ１のフラッシュメモリー１２０に格納されているオーディオデータの一覧表）の状態を、図７（Ｅ）は、「ＡｒｔｉｓｔＸ」フォルダが転送された後の格納済みオーディオデータ一覧リストの状態を示すものである。そして、図７（Ｅ）は、「ＡｒｔｉｓｔＸ」フォルダがＩＣレコーダ１に転送され、ＩＣレコーダ１のフラッシュメモリー１２０に格納された状態の詳細を示すものである。
【００８２】
ここでは、パーソナルコンピュータ２のコンテンツディスク２０２に蓄積されている「ＡｒｔｉｓｔＸ」フォルダをＩＣレコーダ１に転送する。フォルダの転送のための操作は、図６を用いて説明した場合と全く同様である。すなわち、「ＡｒｔｉｓｔＸ」フォルダの格納済みオーディオデータ一覧リストへのドラッグ・アンド・ドロップ操作により、「ＡｒｔｉｓｔＸ」フォルダをＩＣレコーダ１のフラッシュメモリー１２０に転送し、コピーすることができる。
【００８３】
そして、この図７に示す例の場合、図７（Ａ）に示す「ＡｒｔｉｓｔＸ」フォルダは、オーディオデータファイル「ＳｏｎｇＡ」、「ＳｏｎｇＢ」を有するとともに、「１ＳＴ  Ａｌｂｕｍ」フォルダと「２ＮＤ  Ａｌｂｕｍ」フォルダとを有するものである。「１ＳＴ  Ａｌｂｕｍ」フォルダは、図７（Ｂ）に示すように、オーディオデータファイル「ＳｏｎｇＣ」、「ＳｏｎｇＤ」、「ＳｏｎｇＥ」を有するものである。また、「２ＮＤ  Ａｌｂｕｍ」フォルダは、図７（Ｃ）に示すように、オーディオデータファイル「ＳｏｎｇＦ」、「ＳｏｎｇＧ」、「ＳｏｎｇＨ」を有するものである。
【００８４】
すなわち、「ＡｒｔｉｓｔＸ」フォルダは、オーディオデータファイル「ＳｏｎｇＡ」、「ＳｏｎｇＢ」の他に、複数のオーディオデータファイルを管理下に置く「１ＳＴ  Ａｌｂｕｍ」フォルダと「２ＮＤ  Ａｌｂｕｍ」フォルダを管理下においており、自分の管理下にさらに別のフォルダが存在する階層構造を有するものである。
【００８５】
そして、図７（Ａ）および図７（Ｄ）に示すように、「ＡｒｔｉｓｔＸ」フォルダを格納済みオーディオデータ一覧リスト上までドラッグしていき、格納済みオーディオデータ一覧リスト上の目的とする位置でドロップすることにより、階層構造を有する「ＡｒｔｉｓｔＸ」フォルダをＩＣレコーダ１のフラッシュメモリー１２０に転送し、コピーすることができるようにされる。
【００８６】
この場合、「ＡｒｔｉｓｔＸ」フォルダを転送することにより、図７（Ｅ）に示すように、格納済みオーディオデータ一覧リストの「ＡｌｂｕｍＥ」と「ＡｌｂｕｍＦ」との間に、「ＡｒｔｉｓｔＸ」フォルダと、この「ＡｒｔｉｓｔＸ」フォルダの管理下にある「１ＳＴ  Ａｌｂｕｍ」フォルダと「２ＮＤ  Ａｌｂｕｍ」フォルダとも同時にＩＣレコーダ１のフラッシュメモリー１２０に転送してコピーすることができるようにされる。もちろん、「ＡｒｔｉｓｔＸ」フォルダ中のオーディオデータファイル「ＳｏｎｇＡ」、「ＳｏｎｇＢ」もＩＣレコーダ１のフラッシュメモリー１２０に転送され、コピーされる。
【００８７】
すなわち、パーソナルコンピュータ２の「ＡｒｔｉｓｔＸ」フォルダをＩＣレコーダ２に転送してコピーすることにより、図７（Ｆ）に示すように、「ＡｒｔｉｓｔＸ」フォルダの管理化にあるオーディオデータファイル「ＳｏｎｇＡ」、「ＳｏｎｇＢ」と、「ＡｒｔｉｓｔＸ」フォルダの管理化にある「１ＳＴ  Ａｌｂｕｍ」フォルダの管理化にあるオーディオデータファイル「ＳｏｎｇＣ」、「ＳｏｎｇＤ」、「ＳｏｎｇＥ」と、「ＡｒｔｉｓｔＸ」フォルダの管理化にある「２ＮＤ  Ａｌｂｕｍ」フォルダの管理化にあるオーディオデータファイル「ＳｏｎｇＦ」、「ＳｏｎｇＧ」、「ＳｏｎｇＨ」をいっぺんにＩＣレコーダ１のフラッシュメモリー１２０に転送してコピーすることができるようにしている。
【００８８】
このように、この実施の形態において、パーソナルコンピュータ２からＩＣレコーダ１へのオーディオデータの転送は、フォルダ単位、ファイル単位に行うことが可能であり、階層構造を有するフォルダの場合には、そのフォルダの管理化にあるフォルダのファイルについても転送し、コピーすることができるようにしている。また、再生順をも考慮して転送し、コピーすることができるようにしている。
【００８９】
［ＩＣレコーダ１に転送されたオーディオデータの再生順の管理について］
上述したように、パーソナルコンピュータ２からＩＣレコーダ１のフラッシュメモリー１２０に転送してコピーするようにしたオーディオデータの管理方式について具体的に説明する。図８、図９は、ＩＣレコーダ１におけるオーディオデータの管理方式を説明するための図である。
【００９０】
ここでは、説明を簡単にするため、図８に示すように、パーソナルコンピュータ２のコンテンツディスク２０２に蓄積されている「ＡｌｂｕｍＧ」フォルダ（図８（Ａ））を、ＩＣレコーダ１のフラッシュメモリー１２０に形成されているオーディオフォルダに登録された「ＭＰ３  ｆｉｌｅ  ｍａｎａｇｅｒ」に対してドラッグ・アンド・ドロップ操作を行うことにより、「ＡｌｂｕｍＧ」フォルダをフラッシュメモリー１２０に転送してコピーする場合を例にして説明する。
【００９１】
上述のように、パーソナルコンピュータ２の「ＡｌｂｕｍＧ」フォルダを、ＩＣレコーダ１のオーディオフォルダに登録された「ＭＰ３  ｆｉｌｅ  ｍａｎａｇｅｒ」に対してドラッグ・アンド・ドロップ操作を行うことにより、ＩＣレコーダ１に転送してコピーするようにすると、「ＡｌｂｕｍＧ」フォルダは、ＩＣレコーダ１のフラッシュメモリー１２０に転送されてコピーされる。
【００９２】
この場合、転送されてコピーされるオーディオデータは、図８（Ｂ）、（Ｃ）に示すように、ＩＣレコーダ１のフラッシュメモリー１２０に形成される管理フォルダ（この例ではフォルダ名ＮＷ−ＭＰ３）に格納され、同時に、この管理フォルダ（ＮＷ−ＭＰ３）に格納済みオーディオデータ一覧リストを形成する元データであって、再生順番を管理する再生順番管理リスト（ＰＢＬＩＳＴ１）が形成される。
【００９３】
なお、この実施の形態においては、図８Ｃに示すように、管理フォルダ（ＮＷ−ＭＰ３）には、ＰＢＬＩＳＴ０も形成されている。ＰＢＬＩＳＴ０とＰＢＬＩＳＴ１とは同じ内容を有するものであるが、ＰＢＬＩＳＴ０は、ＰＢＬＩＳＴ１の１つ前の再生順番管理リストであり、ＰＢＬＩＳＴ１が何らかの原因によって壊れてしまったような場合に用いる、いわばＰＢＬＩＳＴ１のバックアップである。
【００９４】
また、図８（Ｃ）に示す管理フォルダ（ＮＷ−ＭＰ３）において、「ｍｐ０００１．ｄａｔ」、「ｍｐ０００２．ｄａｔ」、「ｍｐ０００３．ｄａｔ」、…のそれぞれが、パーソナルコンピュータ２から転送されてきたオーディオデータファイル（「ＳｏｎｇＧ１」、「ＳｏｎｇＧ２」、「ＳｏｎｇＧ３」、…）である。
【００９５】
そして、再生順番管理リストであるＰＢＬＩＳＴ１のデータ構造を示すと図９に示すようになる。ＰＢＬＩＳＴ１は、図９に示すように、ヘッダーエリアとトラックエリアからなっている。ヘッダーエリアは、ＰＢＬＩＳＴ１自身のヘッダー情報エリア（Ｈｅａｄｅｒ）と、多数のアルバム情報エリアとを有している。アルバム情報エリアは、図９に示すように、アルバム名エリアとトラックポインターエリアとからなっている。
【００９６】
アルバム名エリアは、図９において、Ａｌｂｕｍ  ｎａｍｅ１  ａｒｅａ、Ａｌｂｕｍ  ｎａｍｅ２  ａｒｅａ、…が示すエリアであり、ここには、フォルダ名がＡｌｂｕｍ名として格納される。また、トラックポインターエリアは、図９において、Ｔｒａｃｋ  Ｐｏｉｎｔｅｒが示すエリアであり、図９において点線矢印で示したように、該当フォルダの管理下にあるオーディオデータファイルについての情報が格納されたトラックの先頭アドレスが格納される。このアルバム名エリアとトラックポインターエリアからなるアルバム情報エリアは、各フォルダの管理下にあるオーディオデータファイルの数分形成される。
【００９７】
そして、トラックエリアには、フィルタリングした後のファイル名（図９においては、ｍｐ０００１．ｄａｔ、ｍｐ０００２．ｄａｔが示す情報。）、元のファイル名（図９においては、ＳｏｎｇＧ１、ＳｏｎｇＧ２が示す情報。）、ＩＤ３タグ情報から取得されるタイトル（図９においては、ｔｉｔｔｌｅ  ｘｘｘが示す情報。）、アーティスト名（図９においては、ＡＡＡＡＡが示す情報。）が格納される。なお、ＩＤ３タグ情報は、ＭＰ３ファイルに曲名や著作者、音楽ジャンル等の情報を追加するために標準的に用いられているフォーマットの情報である。
【００９８】
そして、どのフォルダ（Ａｌｂｕｍ）の何曲目のオーディオデータのファイル名は何であるかを関連付けて管理することができ、目的とするオーディオデータを迅速に特定して再生するなどのことができるようにされる。すなわち、この図９に示すＰＢＬＩＳＴ１の情報により、図４〜図７に示したような格納済みオーディオデータ一覧リストを作成したり、このＰＢＬＩＳＴ１に登録された情報の順番で、オーディオデータを再生するようにしたりすることができるようにされる。
【００９９】
［フォルダやファイルの削除、移動について］
上述のようにして、パーソナルコンピュータ２からＩＣレコーダ１にオーディオデータを転送してコピーすることができるが、ＩＣレコーダ１に転送したフォルダやファイルを削除したり移動したりすることもできるようにされる。
【０１００】
図１０は、ＩＣレコーダ１のフラッシュメモリー１２０に格納されたフォルダの削除について説明するための図である。上述もしたように、再生順番管理リスト（ＰＢＬＩＳＴ１）に基づいて作成され、パーソナルコンピュータ２のＬＣＤ２２２に表示される格納済みオーディオデータ一覧リストにおいて、図１０（Ａ）に示すように、削除しようとするフォルダ、この例の場合には「ＡｌｂｕｍＡ」にカーソルＣＳを位置付け、当該一覧リストの左下端に表示されるイレーズ（Ｅｒａｓｅ）アイコンＫ１を選択すると、図１０（Ｂ）に示すように、当該一覧リストからはＡｌｂｕｍＡの表示が消去され、同時にＡｌｂｕｍＡに関する情報がＰＢＬＩＳＴ１から削除される。
【０１０１】
この場合に、ＡｌｂｕｍＡの管理下にある全てのオーディオデータファイルについても、フラッシュメモリー１２０から削除するようにされ、フラッシュメモリー１２０を整理し、フラッシュメモリー１２０を効率よく利用することができるようにされる。
【０１０２】
図１１は、ＩＣレコーダ１のフラッシュメモリー１２０に格納されたファイルの削除について説明するための図である。この場合には、パーソナルコンピュータ２のＬＣＤ２２２に表示される格納済みオーディオデータ一覧リストにおいて、削除するオーディオデータファイルを管理下に置くフォルダ、この例の場合には、「ＡｌｂｕｍＡ」にカーソルを位置付け、ダブルクリックするなどの所定の操作を行うことにより、図１１（Ａ）に示すように、ＡｌｂｕｍＡの管理下にあるオーディオデータファイの一覧を表示するようにする。
【０１０３】
そして、目的とするオーディオデータファイル、この例においては「ＳｏｎｇＡ１」にカーソルＣＳを位置付け、当該一覧リストの左下端に表示されるイレーズ（Ｅｒａｓｅ）アイコンＫ１を選択すると、図１１（Ｂ）に示すように、当該一覧リストからはオーディオデータファイル「ＳｏｎｇＡ１」の表示が消去され、同時にオーディオデータファイル「ＳｏｎｇＡ１」に関する情報がＰＢＬＩＳＴ１から削除される。
【０１０４】
この場合に、オーディオデータファイル「ＳｏｎｇＡ１」自体が、フラッシュメモリー１２０から削除され、フラッシュメモリー１２０を整理し、フラッシュメモリー１２０を効率よく利用することができるようにされる。
【０１０５】
図１２は、ＩＣレコーダ１のフラッシュメモリー１２０に格納されたフォルダの移動について説明するための図である。この場合には、パーソナルコンピュータ２のＬＣＤ２２２に表示される格納済みオーディオデータ一覧リストにおいて、移動するフォルダ、この例の場合には「ＡｌｂｕｍＡ」にカーソルＣＳを位置付け、このカーソルを位置付けた「ＡｌｂｕｍＡ」をドラッグ・アンド・ドロップ操作して移動させる。
【０１０６】
この場合、ドラック操作に応じて移動する「ＡｌｂｕｍＡ」に対応し、位置指示ラインｄｔｌが表示される。この位置指示ラインｄｔｌを、「ＡｌｂｕｍＡ」を移動させる移動先に位置付け、ドロップ操作することにより、図１２（Ｂ）に示すように、「Ｆｒｅｅ  Ｆｏｌｄｅｒ」と「ＡｌｂｕｍＢ」との間に位置していた「ＡｌｂｕｍＡ」を、「ＡｌｂｕｍＤ」と「ＡｌｂｕｍＥ」との間に移動させることができる。
【０１０７】
そして、この移動操作に対応して、再生順番管理リストの内容を更新することにより、「ＡｌｂｕｍＡ」の管理下にあるオーディオデータファイルの再生順番を変更することができるようにされる。
【０１０８】
なお、ここでは、フォルダである「ＡｌｂｕｍＡ」を一覧リスト内の別の位置に移動させる場合を例にして説明したが、これに限るものではない。フォルダを他のフォルダの中に移動させ、階層構造を有するようにすることももちろんできる。また、オーディオデータファイルを任意の位置に移動させることもできる。オーディオデータファイルの移動の場合にも、目的とするオーディオデータファイルを他のフォルダに移動させるようにすることもできる。
【０１０９】
このように、この実施の形態においては、フォルダ単位、ファイル単位の削除、移動が可能であり、ユーザーは、パーソナルコンピュータ２のＬＣＤ２２２に表示される格納ずみオーディオデータ一覧リスト上で、目的とするフォルダやファイルについてドラッグ・アンド・ドロップ操作という簡単な操作を通じて、ＩＣレコーダ１のフラッシュメモリー１２０に格納されている目的とするフォルダやファイルの削除や移動の処理を行うことができるようにされる。
【０１１０】
［システムの動作のまとめ］
次に、ＩＣレコーダ１とパーソナルコンピュータ２とからなる、この実施の形態のシステムの動作について、図１３〜図１６を用いて説明する。
【０１１１】
上述もしたように、ＩＣレコーダ１とパーソナルコンピュータ２とがデジタルインターフェースで接続され、ＩＣレコーダ１がパーソナルコンピュータ２の外部ドライブ装置として認識された後、パーソナルコンピュータ２の制御部２００が、ＩＣレコーダ１のフラッシュメモリー１２０に設けられているオーディオフォルダに格納されているオーディオデータファイルの転送管理プログラムである「ＭＰ３  ｆｉｌｅ  ｍａｎａｇｅｒ」を読み出して実行した場合に、図１３、図１４に示す処理が、パーソナルコンピュータ２の制御部２００において実行される。
【０１１２】
この場合、パーソナルコンピュータ２の制御部２００は、外部Ｉ／Ｆ２４１等を通じてＩＣレコーダ１のフラッシュメモリー１２０に形成されている再生順番管理リスト（ＰＢＬＩＳＴ１）を参照し、格納済みオーディオデータ一覧リストを作成して、これをＬＣＤ２２２に表示する（ステップＳ１０１）。
【０１１３】
そして、パーソナルコンピュータ２の制御部２００は、キー操作部２３２、マウス２３３を通じて、ユーザーからの操作入力を受け付けて（ステップＳ１０２）、操作入力が行われたか否かを判断する（ステップＳ１０３）。ステップＳ１０３の判断処理において、操作入力は行われていないと判断したときには、ステップＳ１０２からの処理を繰り返す。
【０１１４】
また、ステップＳ１０３の判断処理において、操作入力が行われたと判断したときには、制御部２００は、受け付けた操作入力は、パーソナルコンピュータ２のコンテンツディスク２０２に蓄積されているオーディオデータのＩＣレコーダ１のフラッシュメモリー１２０への転送指示（転送操作）か否かを判断する（ステップＳ１０４）。このステップＳ１０４の判断処理は、例えば、選択されたフォルダやファイルの所在によって判断することができる。すなわち、パーソナルコンピュータ２のコンテンツディスク２０２に存在するフォルダやファイルが処理対象の場合には、転送指示であると判断することができる。
【０１１５】
ステップＳ１０４の判断処理において、受け付けた操作入力が、パーソナルコンピュータ２からＩＣレコーダ１へのフォルダやファイルの転送指示であると判断したときには、制御部２００は、転送対象のオーディオデータの形式のチェックを行う（ステップＳ１０５）。このステップＳ１０５の形式のチェックは、処理対象のオーディオデータのデータ圧縮形式、オーディオデータのビットレート、その他の種々の拡張子等をチェックし、この実施の形態のＩＣレコーダ１において再生可能なものか否かをチェックする処理である。
【０１１６】
そして、パーソナルコンピュータ２の制御部２００は、ステップＳ１０５の処理結果に基づいて、転送対象のオーディオデータは、ＩＣレコーダ１において再生可能なものか否かを判断し（ステップＳ１０６）、再生可能であると判断したときには、不要な拡張子を外すなど、形式変換を行い、ＩＣレコーダ１のフラッシュメモリー１２０に形成されているオーディオデータ用フォルダ（ＭＰ３フォルダ）に追加する（ステップＳ１０７）。
【０１１７】
この後、転送され、ＩＣレコーダ１のフラッシュメモリー１２０に追加されたオーディオデータに応じて、再生順番管理リストであるＰＢＬＩＳＴ１を更新し（ステップＳ１０８）、表示している格納済みオーディオデータ一覧リストの表示を追加後の状態に変更して（ステップＳ１０９）、ステップＳ１０２からの処理を繰り返す。
【０１１８】
また、ステップＳ１０６の判断処理において、転送対象のオーディオデータは、ＩＣレコーダ１では再生不能なものであると判断したときには、制御部２００は、再生不可メッセージを出力するようにし（ステップＳ１１０）、転送処理を行うことなくステップＳ１０２からの処理を繰り返すようにする。
【０１１９】
また、ステップＳ１０４の判断処理において、受け付けた操作入力がオーディオデータの転送指示ではないと判断したときには、受け付けた操作入力は移動指示か否かを判断する（ステップＳ１１１）。このステップＳ１１１の判断処理は、例えば、選択されたフォルダやファイルの所在によって判断することができる。すなわち、ＩＣレコーダ１のフラッシュメモリー１２０に存在するフォルダやファイルを処理対象とするドラッグ操作の場合には、移動指示であると判断することができる。
【０１２０】
ステップＳ１１１の判断処理において、受け付けた操作入力が移動指示であると判断したときには、制御部２００は、移動位置に応じて、その移動対象のフォルダやファイルについてのＰＢＬＩＳＴ１の情報を変更し（ステップＳ１１２）、これに応じて、格納済みオーディオデータ一覧リストの表示を変更する（ステップＳ１１３）。この後、ステップＳ１０２からの処理を繰り返すようにする。
【０１２１】
また、ステップＳ１１１の判断処理において、受け付けた操作入力が移動指示でないと判断したときには、制御部２００は、図１４に示すステップＳ１１４の判断処理に進み、受け付けた操作入力は、削除指示か否かを判断する（ステップＳ１１４）。このステップＳ１１４の判断処理においては、格納済みオーディオデータ一覧リストの表示画面の左下端に表示されるイレーズ（Ｅｒａｓｅ）アイコンＫ１が選択されたか否かにより、オーディオデータの削除指示であるか否かを判断することができる。
【０１２２】
ステップＳ１１４の判断処理において、受け付けた操作入力が、オーディオデータの削除指示であると判断したときには、制御部２００は、カーソルが位置付けられているフォルダまたはファイルのオーディオデータをＰＢＬＩＳＴ１から削除する処理を行い（ステップＳ１１５）、削除後のＰＢＬＩＳＴ１に応じて最新の格納済みオーディオデータ一覧リストを表示して（ステップＳ１１６）、ステップＳ１０２からの処理を繰り返すようにする。
【０１２３】
また、ステップＳ１１４の判断処理において、受け付けた操作入力が、オーディオデータの削除指示ではないと判断したときには、制御部２００は、受け付けた操作入力は、オーディオデータの転送、管理処理の終了指示（処理プログラムであるＭＰ３  ｆｉｌｅ  ｍａｎａｇｅｒの終了指示）であるか否かを判断する（ステップＳ１１７）。このステップＳ１１７の判断処理は、格納済みオーディオデータ一覧リストの表示画面の右下端に表示されるイグジット（Ｅｘｉｔ）アイコンＫ２が選択されたか否かにより、オーディオデータの削除指示であるか否かを判断することができる。
【０１２４】
ステップＳ１１７の判断処理において、受け付けた操作入力が終了処理であると判断したときには、使用していたファイルを閉じる処理を行うなどの終了処理を実行し（ステップＳ１１８）、この図１３、図１４に示した処理を終了する。また、ステップＳ１１７の判断処理において、受け付けた操作入力は終了指示ではないと判断したときには、図１３に示したステップＳ１０２からの処理を繰り返すようにする。
【０１２５】
このように、この実施の形態のシステムにおいては、パーソナルコンピュータ２は、デジタルインターフェースを通じて接続されるＩＣレコーダ１を外部ドライバ装置と見なし、パーソナルコンピュータ２がＩＣレコーダ１のフラッシュメモリー１２０に用意されているオーディオデータの転送や管理を行うプログラムを実行し、パーソナルコンピュータ２を通じて、パーソナルコンピュータ２からＩＣレコーダ１にオーディオデータを転送したり、ＩＣレコーダン転送してフラッシュメモリー１２０に格納したオーディオデータの再生順序の変更や削除などをしたりすることを比較的に簡単に行うことができるようにしている。
【０１２６】
すなわち、オーディオデータの転送や管理のためのプログラムは、ＩＣレコーダ１のフラッシュメモリー１２０に存在するので、オーディオデータの転送や管理を行うためのプログラムをパーソナルコンピュータ２にインストールしておく必要がない。したがって、ＩＣレコーダ１の接続が可能な種々のパーソナルコンピュータを用いて、そのパーソナルコンピュータに有るオーディオデータをＩＣレコーダ１に転送して利用したり、ＩＣレコーダ１に転送して格納したオーディオデータの再生順序を変更したり、また、不要になったファイルを削除したりすることも簡単に行うことができるようにされる。
【０１２７】
なお、オーディオデータの転送や管理のためのプログラム（ＭＰ３ファイルマネージャー）は、図４においてはオーディオフォルダＡＦに格納されているものとして説明したが、これに限るものではない。その実体であるプログラムは別のフォルダに格納しておき、オーディオデータファイルやオーディオデータフォルダが転送されて格納されるフォルダにはそのショートカット（シンボリック・リンク）を格納しておくこともできる。このようにすることにより、実体であるプログラムは１つだけでよく、ユーザーの利用形態に応じて複数のフォルダにそのショートカットを作成しても、多くの記憶容量を要しないで実装することができる。
【０１２８】
［処理の変形例］
なお、例えば、図４に示したように、ＩＣレコーダ１のフラッシュメモリー１２０のオーディオフォルダＡＦに対して、オーディオデータファイルやオーディオデータフォルダが転送されて格納されている場合もあると考えられる。例えば、後でＰＢＬＩＳＴ１に展開しようと考え、単に、オーディオフォルダにオーディオデータのコピーだけを行う場合も考えられる。
【０１２９】
このような場合であって、オーディオデータの転送、管理用の処理プログラムが実行され、オーディオフォルダＡＦにＰＢＬＩＳＴ１への未展開のオーディオデータが存在した場合には、その未展開のオーディオデータをＰＢＬＩＳＴ１に自動的に展開するようにすることも可能である。
【０１３０】
図１５は、オーディオデータのＰＢＬＩＳＴ１へ自動展開を行うようにする場合の処理を説明するためのフローチャートである。この図１５に示すステップＳ２０１からステップＳ２０４の処理は、図１３に示したステップＳ１０１の前段において行うようにされる処理である。
【０１３１】
すなわち、上述もしたように、パーソナルコンピュータ２において、ＩＣレコーダ１のフラッシュメモリー１２０に用意されているオーディオデータの転送、管理用のプログラム（ＭＰ３  ｆｉｌｅ  ｍａｎａｇｅｒ）が実行されると、パーソナルコンピュータ２の制御部２００は、まず、ＩＣレコーダ１のフラッシュメモリー１２０のオーディオフォルダＡＦを参照し、ＰＢＬＩＳＴ１に展開していないオーディオデータ（ＭＰ３データ）が保持されているか否かを判断する（ステップＳ２０１）。
【０１３２】
ステップＳ２０１の判断処理において、ＰＢＬＩＳＴ１に展開していないオーディオデータ（ＭＰ３データ）が保持されていると判断したときには、制御部２００は、未展開のオーディオデータのＰＢＬＩＳＴ１への展開を行うか否かの確認入力を受け付ける（ステップＳ２０２）。そして、展開指示（追加指示）を受け付けたか否かを判断し（ステップＳ２０３）、展開指示を受け付けたと判断したときには、オーディオフォルダＡＦに保持されている未展開のオーディオデータ（ＭＰ３データ）をＰＢＬＩＳＴ１に追加する処理を行い（ステップＳ２０４）、この後、図１３、図１４を用いて説明した処理が行うようにされる。
【０１３３】
また、ステップＳ２０１において、オーディオフォルダに未展開のオーディオデータが存在しないと判断した場合、および、ステップＳ２０３の判断処理において、未展開オーディオデータの展開指示（追加指示）がなされていないと判断した場合には、図１３に示したステップＳ１０１からの処理が行うようにされる。
【０１３４】
このようにした場合には、処理時間などがないために、後でＰＢＬＩＳＴ１に展開しようと考え、オーディオフォルダＡＦに溜め込んでおいたオーディオデータを手間をかけることなくＰＢＬＩＳＴに展開して、これを再生するなどして利用することができるようにされる。
【０１３５】
また、オーディオデータの転送、管理処理を行うためのプログラムである「ＭＰ３  ｆｉｌｅ  ｍａｎａｇｅｒ」の終了時に、パーソナルコンピュータ２からのＩＣレコーダ１のデタッチ処理を行うようにすることもできる。図１６は、ＩＣレコーダ１のデタッチ処理を行うようにする場合の処理を説明するためのフローチャートである。
【０１３６】
図１６において、ステップＳ３０１からステップＳ３０４の処理は、図１４に示したステップＳ１１７の判断処理において、終了指示を受け付けたと判断した場合に行われることになる。すなわち、ステップＳ１１７の判断処理において、ユーザーからの操作入力が終了指示である判断した場合には、制御部２００は、まず格納済みオーディオデータ一覧リストの表示を終了し（ステップＳ３０１）、ＩＣレコーダ１をパーソナルコンピュータ２から取り外すか否かの確認入力を受け付ける（ステップＳ３０２）。
【０１３７】
そして、取り外すことを指示する確認入力を受け付けたか否かを判断し（ステップＳ３０３）、取り外すことを指示する確認入力を受け付けたと判断した時には、ＩＣレコーダ１のデタッチ処理、すなわち、パーソナルコンピュータ２とＩＣレコーダ１とのそれぞれにおいての接続確認情報をクリアーするなどの処理を行い、接続関係を解消するようにして、ＩＣレコーダ１とパーソナルコンピュータ２との接続を安全に切り離すことができるようにし（ステップＳ３０４）、図１３、図１４に示した処理を終了する。
【０１３８】
また、ステップＳ３０３の判断処理において、取り外すことを指示する確認入力を受け付けていないと判断したときには、ステップＳ３０４のデタッチ処理は行わずに、図１３、図１４に示した処理を終了することになる。
【０１３９】
このようにすることにより、迅速かつ安全にＩＣレコーダ１をパーソナルコンピュータ２から取り外すことができるようにすることができるとともに、オーディオデータの転送、管理処理を一時中断し、後で再開するような場合には、ＩＣレコーダ１とパーソナルコンピュータ２の接続関係を維持しておいて、オーディオデータの転送、管理処理を終了させるようにすることができる。
【０１４０】
［格納済みオーディオデータ一覧リストの表示態様の変形例］
図１７は、格納済みオーディオデータ一覧リストの表示態様の変形例を説明するための図である。例えば、格納済みオーディオデータ一覧リストは、通常、図１７（Ａ）に示すように、パーソナルコンピュータ２のＬＣＤ２２２の表示画面の一部に表示される。これを最大化するようにしても、従来は、格納済みオーディオデータ一覧リストの１画面のみが大きくなるのみである。
【０１４１】
しかし、ＩＣレコーダ１のフラッシュメモリー１２０の記憶容量も大きくなってきており、多数のオーディオデータファイルを記録することも可能である。そこで、図１７（Ｂ）に示すように、格納済みオーディオデータ一覧リストが最大化された場合には、複数画面ＡＲ１、ＡＲ２、ＡＲ３を有するように最大化表示処理を行うようにする。
【０１４２】
このように、パーソナルコンピュータ２のＬＣＤ２２２の表示画面に、複数画面（複数表示領域）からなる格納済みオーディオデータ一覧リストを表示できるようにすることにより、格納済みオーディオデータ一覧リストの一覧性を向上させ、オーディオデータの転送や管理を行いやすくすることができる。
【０１４３】
なお、図１７（Ｂ）に示したように、複数画面ＡＲ１、ＡＲ２、ＡＲ３を表示するようにした場合に、各画面ＡＲ１、ＡＲ２、ＡＲ３の表示欄にアルバム名やファイル名を表示しきれない場合には、図７（Ｂ）において、各表示画面ＡＲ１、ＡＲ２、ＡＲ３の下端に表示されるスライダーＳＲ１、ＳＲ２、ＳＲ３をスライド移動させることにより、各画面ＡＲ１、ＡＲ２、ＡＲ３の表示領域をスライドさせて、フォルダ名やファイル名の全部を確認することができるようにされる。
【０１４４】
［その他］
［転送時のフォーマット変換について］
図１３、図１４を用いて説明したように、この実施の形態のシステムにおいては、転送するオーディオデータがＩＣレコーダ１において再生可能なものであるか否かを確認し、させ可能なものである場合には、そのオーディオデータをＩＣレコーダ１において再生するのに適したデータ形式に変換するようにしている。
【０１４５】
このように、ＩＣレコーダ１に適した形式にオーディオデータを変換することができるようにしておくことにより、転送プログラムが種々のフォーマットに対応する必要がなくなり、転送プログラムの機能を軽くすることができる。すなわち、この実施の形態においては、可能な範囲で、そのままではＩＣレコーダ１において再生不能なフォーマットのオーディオデータであっても、フォーマットの変換が可能なオーディオデータである場合には、フォーマット変換を行って、ＩＣレコーダのフラッシュメモリー１２０に転送し、コピーすることができるようにされる。
【０１４６】
なお、この実施の形態において、ＩＣレコーダ１のフラッシュメモリー１２０に転送されたオーディオデータは、ＩＣレコーダ１でしか再生できないようにフォーマット変換されるので、ＩＣレコーダ１のフラッシュメモリー１２０に格納されたオーディオデータが他の再生装置に転送されて利用されることを防止することもできるようにされる。すなわち、いわゆるコピーガード機能をも有するものである。
【０１４７】
［メモリーカードへの適用について］
上述した実施の形態においては、ＩＣレコーダ１に内蔵されたフラッシュメモリー１２０にパーソナルコンピュータ２において実行される転送プログラム（ＭＰ３  ｆｉｌｅ  ｍａｎａｇｅｒ）をインストールしておくとともに、フラッシュメモリー１２０にオーディオデータを蓄積し、管理ファイルである再生順番管理リストを形成するようにした。
【０１４８】
しかし、これに限るものではない。近年においては、着脱可能な外部メモリーとして、いわゆるメモリーカードの着脱が可能にされたＩＣレコーダも提供されている。そこで、装着されたメモリーカードを自機のメモリーとして利用可能であり、かつ、デジタルインターフェースを通じて接続されるパーソナルコンピュータからアクセス可能である場合には、当該メモリーカードにパーソナルコンピュータで実行される転送プログラム（上述した実施の形態においては、ＭＰ３  ｆｉｌｅ  ｍａｎａｇｅｒ）を生産時にインストールしておき、当該メモリーカードにオーディオデータを蓄積するとともに、管理情報であるＰＢＬＩＳＴを形成するようにすることもできる。
【０１４９】
このように、メモリーカードに転送プログラムをインストールしておき、また、オーディオデータを蓄積するとともに、管理情報を形成するようにした場合であっても、上述した内蔵のフラッシュメモリー１２０に対してオーディオデータを転送し、管理する場合と同様にして、オーディオデータを転送し、管理することができる。
【０１５０】
［オーディオデータ以外への利用について］
上述した実施の形態においては、オーディオデータをパーソナルコンピュータからＩＣレコーダに転送する場合を例にして説明した。しかし、これに限るものではない。近年においては、比較的に大きなＬＣＤや有機ＥＬなどの表示素子を備えた携帯電話端末や携帯テレビなども提供されている。
【０１５１】
このような携帯電話端末や携帯テレビに、比較的に記憶容量の大きなフラッシュメモリーが内蔵されている場合や、メモリーカードの装着が可能な場合には、上述した実施の形態の場合と同様に、ＡＶデータ（ビデオデータとオーディオデータとを同期を取って再生するようにするデータ）やビデオデータを転送し、管理するための転送プログラムを、携帯電話端末や形態テレビなどに内蔵されたフラッシュメモリーや着脱可能なメモリーカードに予めインストールしておく。
【０１５２】
そして、ＡＶデータやビデオデータを、パーソナルコンピュータから当該フラッシュメモリーやメモリーカードに転送して、管理できるようにしておき、これを再生できるようにすることもできる。
【０１５３】
また、オーディオデータ、ＡＶデータ、ビデオデータのほか、テキストデータやプログラムも、パーソナルコンピュータに接続可能な記録再生装置の内蔵メモリーや着脱可能なメモリーカードに予め格納されたプログラムをパーソナルコンピュータ側で実行し、転送して管理するようにすることもできる。
【０１５４】
すなわち、この発明は、オーディオデータやＡＶデータ、ビデオデータ、テキストデータなどの種々のデータの記録と再生が可能な種々の記録再生装置に適用することができる。
【０１５５】
なお、上述した実施の形態においては、オーディオデータは、ＭＰ３方式でデータ圧縮されているものとして説明したが、これに限るものではない。ＡＴＲＡＣやそのほかのデータ圧縮方式でデータ圧縮されたオーディオデータについても、同様に転送して管理することもできる。すなわち、オーディオデータの圧縮方式は、ＩＣレコーダ１で処理可能なものであればよい。
【０１５６】
したがって、ＡＶデータやビデオデータを扱う場合にも、記録再生装置で扱うことがかのうな種々データ圧縮方式で圧縮されたデータを扱うことが可能である。
【０１５７】
また、上述の実施の形態においては、転送プログラムを記憶するメモリーと、オーディオデータを記憶するメモリーと、管理情報（ＰＢＬＩＳＴ）を記憶するメモリーとは、ＩＣレコーダに内蔵されたフラッシュメモリー１２０を用いるようにしたが、これに限るものではない。パーソナルコンピュータなどの機器からアクセス可能なメモリーが複数あれば、これを使い分けるようにすることもできる。
【図面の簡単な説明】
【０１５８】
【図１】この発明の装置の一実施の形態が適用されたＩＣレコーダ１が用いられて形成され、この発明による方法の一実施の形態が適用されたシステムを説明するための図である。
【図２】この発明の装置の一実施の形態が適用されたＩＣレコーダ１を説明するためのブロック図である。
【図３】この発明の方法の一実施の形態が適用されたシステムのパーソナルコンピュータ２を説明するためのブロック図である。
【図４】パーソナルコンピュータ２からＩＣレコーダ１にオーディオデータを転送して管理する場合の動作を説明するための図である。
【図５】オーディオデータのファイル単位の転送について説明するための図である。
【図６】オーディオデータのフォルダ単位の転送について説明するための図である。
【図７】階層構造を有するフォルダの転送について説明するための図である。
【図８】ＩＣレコーダ１におけるオーディオデータの管理方式を説明するための図である。
【図９】ＩＣレコーダ１におけるオーディオデータの管理方式を説明するための図である。
【図１０】ＩＣレコーダ１のフラッシュメモリー１２０に格納されたフォルダの削除について説明するための図である。
【図１１】ＩＣレコーダ１のフラッシュメモリー１２０に格納されたファイルの削除について説明するための図である。
【図１２】ＩＣレコーダ１のフラッシュメモリー１２０に格納されたフォルダの移動について説明するための図である。
【図１３】ＩＣレコーダ１とパーソナルコンピュータ２とからなる、この実施の形態のシステムの動作について説明するためのフローチャートである。
【図１４】ＩＣレコーダ１とパーソナルコンピュータ２とからなる、この実施の形態のシステムの動作について説明するためのフローチャートである。
【図１５】ＩＣレコーダ１とパーソナルコンピュータ２とからなる、この実施の形態のシステムの動作の他の例について説明するためのフローチャートである。
【図１６】ＩＣレコーダ１とパーソナルコンピュータ２とからなる、この実施の形態のシステムの動作の他の例について説明するためのフローチャートである。
【図１７】格納済みオーディオデータ一覧リストの表示態様の変形例を説明するための図である。
【符号の説明】
【０１５９】
１…ＩＣレコーダ、１０１…マイクロホン、１０２…アナログ／デジタル変換部、１０３…圧縮処理部、１０４…伸長処理部、１０５…音声信号処理部、１０６…音声信号出力端子、１１０…制御部、１１１…ＣＰＵ、１１２…ＲＯＭ、１１３…ＲＡＭ、１１４…ＥＥＰＲＯＭ、１１５…ＣＰＵバス、１２０…フラッシュメモリー、１３１…キーＩ／Ｆ、１３２…操作部、１３３…外部Ｉ／Ｆ、１３４…入出力端子、２…パーソナルコンピュータ２、２００…制御部、２０１…ＣＰＵ２０、２０２…ＲＯＭ、２０３…ＲＡＭ、２０４…ＥＥＰＲＯＭ、２０５…ＣＰＵバス２０５２１１…システムディスク、２１２…コンテンツディスク、２２１…ＬＣＤ、２２２…ＬＣＤ、２３１…Ｉ／Ｆ、２３２…キー操作部、２３３…マウス（ポインティングデバイス）、２４１…外部Ｉ／Ｆ、２４２…入出力端子、２５２…通信Ｉ／Ｆ、２５２…接続端子、
【図１】
2005267559.tif 000003
【図２】
2005267559.tif 000004
【図３】
2005267559.tif 000005
【図４】
2005267559.tif 000006
【図５】
2005267559.tif 000007
【図６】
2005267559.tif 000008
【図７】
2005267559.tif 000009
【図８】
2005267559.tif 000010
【図９】
2005267559.tif 000011
【図１０】
2005267559.tif 000012
【図１１】
2005267559.tif 000013
【図１２】
2005267559.tif 000014
【図１３】
2005267559.tif 000015
【図１４】
2005267559.tif 000016
【図１５】
2005267559.tif 000017
【図１６】
2005267559.tif 000018
【図１７】
2005267559.tif 000019
【手続補正書】
【提出日】平成17年3月7日(2005.3.7)
【手続補正１】
【補正対象書類名】特許請求の範囲
【補正対象項目名】請求項１
【補正方法】変更
【補正の内容】
【請求項１】
情報処理装置との接続端と、
前記接続端に接続された前記情報処理装置からアクセス可能であって、前記情報処理装置から情報信号を転送して管理するために、前記情報処理装置で実行されるソフトウェアが記録されたメモリーと、
前記情報処理装置で前記ソフトウェアが実行されることにより、前記情報処理装置から転送されてくる情報信号を記憶するデータメモリーと、
前記情報処理装置において実行される前記ソフトウェアにより形成される管理情報であって、前記データメモリーに記録された前記情報信号の管理情報を記憶する管理メモリーと、
前記管理メモリーに記憶された前記管理情報に基づいて、前記データメモリーに記録された前記情報信号を再生するように制御する再生制御手段と
を備えることを特徴とする記録再生装置。
【手続補正２】
【補正対象書類名】特許請求の範囲
【補正対象項目名】請求項４
【補正方法】変更
【補正の内容】
【請求項４】
記録再生装置が情報処理装置から１つ以上の情報信号の提供を受けて、これをユーザーの意図する順番で利用できるようにする情報転送管理方法であって、
前記情報処理装置からアクセス可能な前記記録再生装置のメモリーに、前記情報処理装置において実行され、前記情報処理装置から情報信号を転送して管理するためのソフトウェアを記録しておき、
前記情報処理装置から前記記録再生装置の前記メモリーにアクセスして前記ソフトウェアを実行して、前記情報処理装置からアクセス可能な前記記録再生装置のデータメモリーに情報信号を転送し、
実行された前記ソフトウェアにより、前記データメモリーに転送された前記情報信号についての管理情報を前記情報処理装置からアクセス可能な前記記録再生装置の管理メモリーに形成し、
前記記録再生装置において、前記管理メモリーに記憶された前記管理情報に基づいて、前記データメモリーに記録された前記情報信号の再生を行うことができるようにする情報転送管理方法。
【手続補正３】
【補正対象書類名】明細書
【補正対象項目名】００１２
【補正方法】変更
【補正の内容】
【００１２】
上記課題を解決するため、請求項１に記載の発明の記録再生装置は、
情報処理装置との接続端と、
前記接続端に接続された前記情報処理装置からアクセス可能であって、前記情報処理装置から情報信号を転送して管理するために、前記情報処理装置で実行されるソフトウェアが記録されたメモリーと、
前記情報処理装置で前記ソフトウェアが実行されることにより、前記情報処理装置から転送されてくる情報信号を記憶するデータメモリーと、
前記情報処理装置において実行される前記ソフトウェアにより形成される管理情報であって、前記データメモリーに記録された前記情報信号の管理情報を記憶する管理メモリーと、
前記管理メモリーに記憶された前記管理情報に基づいて、前記データメモリーに記録された前記情報信号を再生するように制御する再生制御手段と
を備えることを特徴とする。